【手続補正書】
【提出日】平成26年9月12日(2014.9.12)
【手続補正１】
【補正対象書類名】特許請求の範囲
【補正対象項目名】全文
【補正方法】変更
【補正の内容】
【特許請求の範囲】
【請求項１】
光重合性層を有する感光性印刷要素を処理するために使用される、未重合部分を伴った溶媒溶液を再平衡させる方法において、
ａ）  ｎ個の成分の混合物である溶媒溶液を提供するステップであって、ｎは３以上であり、前記成分の各々が、前記成分の第１の質量分率の合計に基づき、第１の質量分率を有しているステップと；
ｂ）  前記未重合部分を中に含む前記溶媒溶液を収集するステップと；
ｃ）  ステップｂ）の前記溶媒溶液から前記未重合部分を分離して、前記成分の再生物を形成するステップであって、前記再生物の前記成分の少なくとも１つが、前記第１の質量分率とは異なる第２の質量分率を有しているステップと；
ｄ）  前記再生物の体積を決定するステップと；
ｅ）  ｎ−１個の特性について前記再生物を測定するステップと；
ｆ）  前記成分の各々に関してステップｅ）で測定された各々の特性について生成された方程式に基づいて、かつ前記再生物中の前記成分の前記第２の質量分率の総和が１になる合計に基づいて、前記再生物に添加すべき前記成分の少なくとも１つの質量を計算するステップと；
ｇ）  前記体積の再生物に対してステップｆ）からの前記質量の、前記ｎ個の成分の少なくとも１つを添加して、前記再生物中の前記成分各々の前記第２の質量分率を目標質量分率に調整するステップと；
を含む方法。
【請求項２】
光重合性層を有する感光性印刷要素を処理するために使用される、未重合部分を伴った溶媒溶液を再平衡させる方法において、
ａ）  ｎ個の成分の混合物を含む溶媒溶液から再生物を形成するステップであって、ｎは３以上であり、前記溶媒溶液の前記成分各々が、前記成分の第１の質量分率の合計に基づき、第１の質量分率を有しており、かつ前記再生物の前記成分の少なくとも１つが、前記第１の質量分率とは異なる第２の質量分率を有しているステップと；
ｂ）  前記再生物の体積を決定するステップと；
ｃ）  ｎ−１個の特性について前記再生物を測定するステップと；
ｄ）  前記成分各々に関してステップｃ）で測定された各々の特性について生成された方程式に基づいて、かつ前記再生物中の前記成分の前記第２の質量分率の総和が１になる合計に基づいて、前記再生物に添加すべき前記成分の少なくとも１つの質量を計算するステップと；
ｅ）  前記体積の再生物に対してステップｄ）からの前記質量の、前記ｎ個の成分の少なくとも１つを添加して、前記再生物中の前記成分各々の前記第２の質量分率を目標質量分率に調整するステップと；
を含む方法。
【手続補正２】
【補正対象書類名】明細書
【補正対象項目名】００７３
【補正方法】変更
【補正の内容】
【００７３】
マスクを通した化学線に対する像様露光、および別個のフィルムである場合のフォトマスクの除去後、感光性印刷要素は、光重合性層内の未重合部域を除去してレリーフ画像を形成するために溶媒溶液で処理される。処理ステップにより、少なくとも、化学線に露光されなかった部域内の光重合性層、すなわち光重合性層の未露光部域または未硬化部域が除去される。エラストマーキャッピング層を除いて、典型的には、光重合性層上に存在するかもしれない追加層は、光重合性層の重合された部域から除去されるかまたは実質的に除去される。マスクのデジタル形成のための別個のＩＲ感応性層を含む感光性要素については、光重合性層中にレリーフ画像を形成する処理ステップは、（化学線に露光された）マスク画像も除去してよい。
本発明は以下の実施の態様を含むものである。
［１］光重合性層を有する感光性印刷要素を処理するために使用される、未重合部分を伴った溶媒溶液を再平衡させる方法において、
ａ）  ｎ個の成分の混合物である溶媒溶液を提供するステップであって、ｎは３以上であり、前記成分の各々が、前記成分の第１の質量分率の合計に基づき、第１の質量分率を有しているステップと；
ｂ）  前記未重合部分を中に含む前記溶媒溶液を収集するステップと；
ｃ）  ステップｂ）の前記溶媒溶液から前記未重合部分を分離して、前記成分の再生物を形成するステップであって、前記再生物の前記成分の少なくとも１つが、前記第１の質量分率とは異なる第２の質量分率を有しているステップと；
ｄ）  前記再生物の体積を決定するステップと；
ｅ）  ｎ−１個の特性について前記再生物を測定するステップと；
ｆ）  前記成分の各々に関してステップｅ）で測定された各々の特性について生成された方程式に基づいて、かつ前記再生物中の前記成分の前記第２の質量分率の総和が１になる合計に基づいて、前記再生物に添加すべき前記成分の少なくとも１つの質量を計算するステップと；
ｇ）  前記体積の再生物に対してステップｆ）からの前記質量の、前記ｎ個の成分の少なくとも１つを添加して、前記再生物中の前記成分各々の前記第２の質量分率を目標質量分率に調整するステップと；
を含む方法。
［２］前記計算ステップがさらに、前記成分の各々に関してステップｅ）で測定された各々の特性についての方程式を生成するステップを含んでいる、前記１に記載の方法。
［３］ステップｆ）の結果として得られた前記再生物中の前記成分各々の前記目標質量分率が、前記溶媒溶液の前記成分各々の前記第１の質量分率に等しい、前記１に記載の方法。
［４］ステップｆ）の結果として得られた前記再生物中の前記成分各々の前記目標質量分率が、前記溶媒溶液の前記成分各々の前記第１の質量分率とは異なる第３の質量分率である、前記１に記載の方法。
［５］前記ステップｃ）が、ステップｂ）の前記溶媒溶液から前記未重合部分を分離するための蒸留ステップを含み、前記再生物が前記ｎ個の成分の蒸留物である、前記１に記載の方法。
［６］前記ステップｃ）が、遠心分離ステップ、濾過ステップ、または遠心分離ステップと濾過ステップとの組合せから選択されて、ステップｂ）の前記溶媒溶液から前記未重合部分を分離する、前記１に記載の方法。
［７］前記測定ステップｅ）の前記特性が、比重、屈折率、または誘電率から選択される、前記１に記載の方法。
［８］ｎ−１個の特性についての前記再生物の前記測定ステップが、前記再生物の温度を決定するステップをさらに含み、測定された各々の特性について生成された前記方程式が前記ｎ個の成分各々と前記温度に関連している、前記１に記載の方法。
［９］前記測定ステップｅ）が、前記再生物の前記特性を測定するための携帯式装置を使用するステップをさらに含んでいる、前記１に記載の方法。
［１０］前記溶媒溶液が、前記要素から前記未重合部分を除去するための炭化水素、アルコール及び希釈剤を含む、前記１に記載の方法。
［１１］前記溶媒溶液が、酢酸アルキル、１３５℃以上の沸点を有するアルコールおよび希釈剤を含む、前記１に記載の方法。
［１２］前記炭化水素が、塩化炭化水素類、芳香族炭化水素類、飽和環式炭化水素類、飽和非環式炭化水素類、不飽和環式炭化水素類および低級脂肪族ケトン類から選択される、前記１０に記載の方法。
［１３］前記アルコールが、脂肪族アルコール類、脂環式アルコール類、芳香族アルコール類、複素環式アルコール類、多環式アルコール類、三価アルコール類および多価アルコール類から選択される、前記１０に記載の方法。
［１４］前記希釈剤が、石油蒸留物、ナフサ類、パラフィン系溶媒、水素処理石油蒸留物、鉱油、ミネラルスピリット、リグロイン、デカン、オクタンおよびヘキサンから選択される、前記１０に記載の方法。
［１５］ステップｇ）の結果として得られた前記再生物を前記溶媒溶液に戻すステップをさらに含む、前記１に記載の方法。
［１６］前記提供ステップａ）が、前記感光性印刷要素を前記溶媒溶液中で処理して前記層から前記未重合部分を除去するステップを含む、前記１に記載の方法。
［１７］前記生成ステップがさらに、
前記ｎ個の成分を有する実験的溶媒溶液の組成を作り出すステップであって、前記実験的組成が、各々のｎ個の成分についての前記第１の質量分率を包含する可能な質量分率の範囲を代表しているステップと；
前記実験的溶媒溶液の前記組成各々のｎ−１個の特性を測定してデータを提供するステップと；
前記データについて線形回帰を行なって、前記ｎ個の成分についての前記質量分率に関して測定された各々の特性についての前記方程式を生成するステップと；
を含む、前記２に記載の方法。
［１８］１つ以上の温度各々において前記実験的溶媒溶液の前記組成各々の前記ｎ−１個の特性を測定するステップをさらに含み、測定された各々の特性についての前記方程式が、前記ｎ個の成分の前記質量分率および温度に関連している、前記１７に記載の方法。
［１９］光重合性層を有する感光性印刷要素を処理するために使用される、未重合部分を伴った溶媒溶液を再平衡させる方法において、
ａ）  ｎ個の成分の混合物を含む溶媒溶液から再生物を形成するステップであって、ｎは３以上であり、前記溶媒溶液の前記成分各々が、前記成分の第１の質量分率の合計に基づき、第１の質量分率を有しており、かつ前記再生物の前記成分の少なくとも１つが、前記第１の質量分率とは異なる第２の質量分率を有しているステップと；
ｂ）  前記再生物の体積を決定するステップと；
ｃ）  ｎ−１個の特性について前記再生物を測定するステップと；
ｄ）  前記成分各々に関してステップｃ）で測定された各々の特性について生成された方程式に基づいて、かつ前記再生物中の前記成分の前記第２の質量分率の総和が１になる合計に基づいて、前記再生物に添加すべき前記成分の少なくとも１つの質量を計算するステップと；
ｅ）  前記体積の再生物に対してステップｄ）からの前記質量の、前記ｎ個の成分の少なくとも１つを添加して、前記再生物中の前記成分各々の前記第２の質量分率を目標質量分率に調整するステップと；
を含む方法。